(57)【要約】【課題】下模様の線にそって布を摘み縫いするだけで、布に下模様通りの凹凸模様を形成することができるようにする。布の摘み縫いに使用した糸を凹凸模様の形成に積極的に生かして、その糸による意匠効果を高めることができるようにする。【解決手段】次の（１）及び（２）に記載の工程を備えた凹凸模様布の製造方法。（１）布に下模様を線で描き、その線にそって布の表側から布を摘んで折り山をつくり、これを縫い合せ、この縫い合せ部で線状凸模様を布の表面側に形成する工程。（２）布に下模様を線で描き、その線にそって布の裏側から布を摘んで折り山をつくり、これを縫い合せ、この縫い合せ部で縁取られた面状凸模様を布の表面側に形成する工程。【選択図】　　　　図１
2004131857.tif 000002
【特許請求の範囲】
【請求項１】
次の（１）及び（２）に記載の工程を備えた凹凸模様布の製造方法。
（１）布に下模様を線で描き、その線にそって布の表側から布を摘んで折り山をつくり、これを縫い合せ、この縫い合せ部で線状凸模様を布の表面側に形成する工程。
（２）布に下模様を線で描き、その線にそって布の裏側から布を摘んで折り山をつくり、これを縫い合せ、この縫い合せ部で縁取られた面状凸模様を布の表面側に形成する工程。
【発明の詳細な説明】
【０００１】
【発明の属する技術分野】
この発明は、布の摘み縫いによる凹凸模様布の製造方法に関するものである。
【０００２】
【従来の技術】
従来の凹凸模様布の製造方法としては、「絞染め」技術における「絞り」技術を応用することによって、最終製品である布に皺（しぼ）と呼ばれる凹凸形状を意図的に残すように工夫した絞り布の製造方法が知られている。
【０００３】
この絞り布の製造方法は、次の（１）〜（３）の工程を備えたものである（例えば、特許文献１参照）。
【０００４】
（１）布の多数箇所を糸で波縫いした後に皺寄せして部分的に絞る絞り工程。
【０００５】
（２）絞り工程によって得られた布に蒸気を曝露して絞り形状を保持する成形工程。
【０００６】
（３）成形工程後に前記糸を抜き取る抜糸工程。
【０００７】
【特許文献１】
特開２００１−１６４４８２号公報（第２―６頁）
【０００８】
【発明が解決しようとする課題】
従来の凹凸模様布の製造方法においては、上述のように布に凹凸模様を付与する際に、▲１▼布を部分的に糸で波縫いして絞り、▲２▼この絞り形状を蒸気による加熱で固定し、▲３▼しかるのち、糸を抜き取っている。
【０００９】
このため、得られる凹凸模様布は、絞りに使用した糸が布に残らず、伸縮性のある肌ざわりのよいものとなり、衣服用の生地として適したものとなる。
【００１０】
しかし、波縫いして皺寄せした後に、さらに加熱工程と抜糸工程を必要とするので、加工工数が多く、凹凸模様を設けるという点では、コスト高につく。
【００１１】
また、カバンや容器などの物入れなどの表装材として使用すると、表装材を物入れに貼り付けるときに凹凸模様がつぶれて変形し、本来の凹凸模様をそのまま生かせない。
【００１２】
この発明は、このような従来の問題点に鑑みてなされたもので、
（１）下模様の線にそって布を摘み縫いするだけで、布に下模様通りの凹凸模様を形成することができ、
（２）布の摘み縫いに使用した糸を凹凸模様の形成に積極的に生かして、その糸により意匠効果を高めることができ、
（３）カバンや容器などの物入れなどに表装材とし貼り付けても、凹凸模様のつぶれや変形が殆んどなく、その本来の造形美をそのまま生かせる凹凸模様布を得ることができる凹凸模様布の製造方法を提供することを目的とする。
【００１３】
【課題を解決するための手段】
この発明が提供する凹凸模様布の製造方法は、次の（１）及び（２）の工程を備えたものである。
【００１４】
（１）布に下模様を線で描き、その線にそって布の表側から布を摘んで折り山をつくり、これを縫い合せ、この縫い合せ部で線状凸模様を布の表面側に形成する工程。
【００１５】
（２）布に下模様を線で描き、その線にそって布の裏側から布を摘んで折り山をつくり、これを縫い合せ、この縫い合せ部で縁取られた面状凸模様を布の表面側に形成する工程。
【００１６】
上記布としては、木綿、麻、絹または化学繊維を素材とする布を使用することができる。このほか、和紙や皮革を使用することもできる。
【００１７】
上記布の折り山部分の縫い合わせは、そのふもと部位を地縫い（波縫い）することによって、行うことができる。このほか、折り山部分は、例えば、斜めまつり、逆まつり、千鳥がけ、スカラップ・ステッチ、縦まつりなどの縫い方で縫い合せてもよい。
【００１８】
縫い合せに際しては、必要に応じ折り山部分に皺を寄せて絞りを入れてもよい。
【００１９】
【発明の実施の形態】
以下、この発明の実施の形態を実施例によって説明する。
【００２０】
図１は、紫色の絹布Ｓの摘み縫いによって、その表面に茎１と、３枚の葉２と、２輪の花の花片３と、花心４の凹凸模様Ｍを形成した凹凸模様布Ｆを示す。
【００２１】
上記凹凸模様Ｍは、次の手順で、絹布Ｓに形成される。
【００２２】
（１）図２に示すように、絹布Ｓの表面に、白墨ペンで、図１に示す茎１と３枚の葉２と花心４の模様を下絵として線１１，１２，１４で描く。
【００２３】
（２）図５に示すように、絹布Ｓの裏面に白墨ペンで、図１に示す花の花片３の模様を下絵として線１３で描く。
【００２４】
（３）下絵の模様を入れたところで、まず、図３及び図４に示すように、表面の模様の線にそって、その部分の絹布Ｓを表側から摘んで折り山５をつくり、そのふもと部位を糸６による地縫いで縫い合せる。
【００２５】
この縫い合せ部７そのものによって、絹布Ｓの表面側に線状凸模様が形成される。
【００２６】
（４）ついで、図６に示すように、裏面の模様の線にそって、その部分の絹布Ｓを裏側から摘んで折り山８をつくり、そのふもと部位を糸９による地縫いで縫い合せる。
【００２７】
絹布Ｓの表面側には、この縫い合せ部１０によって縁取られた面状凸模様が形成される。
【００２８】
上述のように、実施例の凹凸模様布の製造方法によれば、下絵として描いた模様の線に沿って絹布Ｓを摘み縫いするだけで、同布Ｓの上に、模様通りの凹凸模様を形成することができる。
【００２９】
また、摘み縫いに使用した糸６は、そのまま残し、凹凸模様の形成に積極的に生かすので、その糸の表出による意匠効果を上げることができる。
【００３０】
さらに、この実施例の製造方法によってつくられた凹凸模様布は、これをカバンや容器などの物入れなどに表装材として貼り付けても、線状凸模様部分は絹布Ｓ部分で、面状凸模様部分は縫い合せ部１０でそれぞれ貼り付けることになるので、凹凸模様Ｍのつぶれや変形が殆んどない。このため、凹凸模様Ｍが本来有する造形美をそのまま物入れの表面に生かすことができる。
【００３１】
なお、上記実施例では、下絵となる模様の線を白墨ペンで描いたが、例えば、ヘラによる仕付け線や仕付け糸で描くようにしてもよい。
【００３２】
【発明の効果】
以上説明したように、この発明によれば、上述のような構成としたので、次の（１）〜（３）に記載の効果を奏する。
【００３３】
（１）下模様の線にそって布を摘み縫いするだけで、布に下模様通りの凹凸模様を形成することができる。
【００３４】
（２）布の摘み縫いに使用した糸を凹凸模様の形成に積極的に生かして、その糸による意匠効果を高めることができる。
【００３５】
（３）カバンや容器などの物入れなどに表装材とし貼り付けても、凹凸模様のつぶれや変形が殆んどなく、その本来の造形美をそのまま生かすことができる凹凸模様布を得ることができる。
【図面の簡単な説明】
【図１】実施例の凹凸模様布の製造方法によって得られる凹凸模様布の正面図
【図２】実施例の凹凸模様布の製造工程を示す正面図
【図３】図２のＡ部分の拡大図
【図４】図３の斜視図
【図５】実施例の凹凸模様布の製造工程を示す正面図
【図６】図５のＢ部分の拡大図
【符号の説明】
Ｓ　絹布
Ｍ　凹凸模様
Ｆ　凹凸模様布
１　茎
２　葉
３　花片
４　花心
５，８　折り山
６，９　糸
７，１０　縫い合せ部
１１〜１４　線
【図１】
2004131857.tif 000003
【図２】
2004131857.tif 000004
【図３】
2004131857.tif 000005
【図４】
2004131857.tif 000006
【図５】
2004131857.tif 000007
【図６】
2004131857.tif 000008